(57)【要約】【課題】従来の布製の半襟はほとんど手を要した縫い付け方法しかなく、長襦袢と半襟の装着を半襟とワンタッチ粘着襟芯で合体する事によって短時間で解決し、効率的で簡素な粘着襟芯として提供する。【解決手段】装着が容易で、着用時の型崩れ並びに縦シワの発生を防止する目的で、粘着襟芯にスリットを入れ半襟に固定し一体化する事によって同時装着できるように開発し、また、低価格の素材・不織布を使ったことによって、使い捨て感覚の新規な構造のワンタッチ粘着襟芯を開発したものである。使い捨て半襟と襦袢の装着については、粘着襟芯を和服の襟に圧着して使用することで、半襟を取り付ける為の格別の熟練を要しない簡単な作業で済ませることが出来る。【選択図】図１
0003129734.tif 000002
【実用新案登録請求の範囲】
【請求項１】
半襟に不織布粘着襟芯を重ね合わせ、この半襟を不織布襟芯ごと折り畳んで構成した襟芯において、前記不織布芯に帯状の粘着不織布を使用し、粘着不織布の長手方向の両端部を残して長手方向にスリットを設け不織布粘着襟芯を折り畳んだ事を特徴とする襟芯
【請求項２】
前記スリットの略中央部と粘着不織布襟芯の上側縁または下側縁間のどちらか一方に切れ目を設け、この切れ目を設けた粘着不織布襟芯が内側になる様に折り畳んだことを特徴とする請求項１に記載の襟芯
【考案の詳細な説明】
【技術分野】
【０００１】吸水性・抗菌などに優れている粘着不織布を使用し、長手方向に平行及び短手方向の半分までスリットを入れたことによって、半襟の取り付け時の縫い付け時の熟練の手間を省き、又、接着時のたるみ・シワを防止し、接着テープなどを使用した時などの接着の糊跡等もなくなり、より簡素に、より美しく半襟などを取り付けられるものである。又、粘着不織布襟芯については、数回程度の繰り返しの接着が可能であり、手洗いによる洗濯も数回程度は可能である。
【背景技術】
【０００２】従来の和服用の半襟は、ほとんどが熟練による縫い付け方法や、両面テープによる貼り付け方法しかないものであった。【０００３】従来の半襟の取り付け方法は、襟芯と別々の購入にての縫い付け装着方法しかなく、比較的高価なものである。【０００４】布製の半襟の取り付け方法について、縫い付けの手間・取り外しの手間及び襟を取り外した後の襟芯だけの保管状況にも無理があった。【０００５】着付け教室・レンタル着物・冠婚葬祭などの着物着付けなどにおいて、従来のものより低価格で利便性あり、より簡素なものが望まれていた。
【考案の開示】
【考案が解決しようとする課題】
【０００６】以上に述べた従来の半襟の取り付けでは、襦袢と半襟との縫い合わせの手間・取り外しの手間・保管の手間などがかかり、急な仕度に手間取ることもあり、購入の販売店なども限られていて、気を配ることも多かった。【０００７】本考案は、このような従来の和服の着付け時の手間と不便さを解決しようとするものであり、低価格で利便性のある粘着不織布襟芯を使用することによって、和服の着やすさの補助及び、旅行などにも予備として携帯出来ることを目的とするものである。また、着物着付け教室や普段着物を制服としてる企業及び、若年層などに幅広く和服の普及を目的とする。
【課題を解決するための手段】
【０００８】半襟に不織布粘着襟芯を重ね合わせ、この半襟を不織布襟芯ごと折り畳んで構成した襟芯において、前記不織布芯に帯状の粘着不織布を使用し、粘着不織布の長手方向の両端部を残して長手方向にスリットを設け不織布粘着襟芯を折り畳んだ事を特徴とする。また、本考案は前記スリットの略中央部と粘着不織布襟芯の上側縁または下側縁間のどちらか一方に切れ目を設け、この切れ目を設けた粘着不織布襟芯が内側になる様に折り畳んだことを特徴とする。
【考案の効果】
【０００９】吸水性・強度性などに優れた素材である粘着不織布襟芯を使用することにより、より簡素で利便性のある粘着襟芯として活用出来るものである。【００１０】従来の半襟の取り付けについては、縫い付け・取り外し・再度縫い付けの手間がかかったものを、粘着不織布襟芯を使用し半襟を貼り付けることによって、時間のわずらわしさを短時間で解決したものである。【００１１】従来の半襟については、襟芯が必要でありそれぞれに別購入の手間がかかったが、本考案のワンタッチ粘着襟芯においては、樹脂製の襟芯と接着方法が合体したようなもので、別々の購入の手間や買い忘れなどの防止にも役立つものである。【００１２】本考案のワンタッチ粘着襟芯においては、使い捨てではなく数回の繰り返しの使用が可能となり、また手洗いによる数回の洗濯にも耐えうるものである。【００１３】本考案のワンタッチ粘着襟芯においては、取り付けの半襟のすべりを良くする為の背の部分にＰＰ素材の貼り付けなども可能である。
【考案を実施するための最良の形態】
【００１４】吸水性と吸汗性及び強度に優れた粘着不織布を活用する事によって、繰り返し使用可能な利便性のある簡素な襟芯を可能にした。【００１５】襦袢との装着方法も粘着不織布襟芯を使うことによって、従来の縫い付けとは異なり簡易に装着が出来るようになり、襟芯を半襟に固定することによって、別々の装着の手間を省く粘着襟芯とした。【００１６】このワンタッチ粘着襟芯は、襦袢に装着した半襟をはがす時にも、縫い付けや両面テープなどを取り外す手間をより簡素にし、スムーズに剥がせられるものである。【００１７】ワンタッチ粘着襟芯の素材として、長手方向約９００ｍｍ短手方向約１２０ｍｍの粘着不織布１を使用する。粘着不織布の加工としては、上記長方形の中心部に長手方向に平行に約５００〜６００ｍｍ長さのスリットを入れ、又、短手方向に対して長手方向の中心より下部に向って約５ｍｍ幅のスリットを入れる。【００１８】樹脂芯３を約３０ｍｍ×約６００ｍｍにカットし、半分に折り曲げることを考慮して、表面側の短手方向の約半分位の位置の表面側に長手方向に向って粘着不織布に取り付ける事によって、半襟のすべりを良くする事も可能である。【００１９】図１のように、粘着不織布からなる粘着襟芯１の短手方向の中心部分に長手方向に向って約２ｍｍ幅のスリット２を入れる。又、長手方向の中心部より短手方向に下側縁に向って約５ｍｍ幅の切れ目５を入れる。３は、粘着襟芯１のスリット２部分より上部に貼り付けた固めの芯である。【００２０】半襟４（布製・不織布・和紙・その他）の取り付け方法として、半襟４を粘着襟芯１の上側縁と下側縁部分に図２のように内側に折り曲げる。【００２１】この粘着襟芯１の使用方法として、半襟４を取り付けた表面側を図３の様にスリット２の部分から内側に折り畳み、この状態で図４に示すように長襦袢６の襟部分などに装着する。【００２２】図４の装着図の様に粘着襟芯１を、長襦袢６の襟７に裏面側が外側になるように装着して使用する。即ち、半襟４を折り畳んで逆Ｖ状の中に長襦袢の襟７を入れる。長襦袢６の襟の部分においては、表面側の粘着襟芯１が内側になるように着付けを行う。粘着襟芯１全体で半襟４と接着となる為、着崩れを起こす事はない。
【産業上の利用可能性】
【００２３】着物着付け教室・レンタル着物店・業務用で着物を必要とする営業店・普段の急な着付け（冠婚葬祭など）・年に数度しか必要でない着付け時及び、若年層へ幅広く着物の普及・浸透を目的とし、格別の熟練を要しない作業で簡単で取り付けの装着可能なものである。
【図面の簡単な説明】
【００２４】
【図１】本考案の襟芯の展開図
【図２】本考案の襟芯の平面図
【図３】図１の襟芯を、スリット部分から二つ折りした斜視図
【図４】本考案の襟芯を長襦袢に装着した説明図
【符号の説明】
【００２５】  １  粘着襟芯
２  スリット
３  樹脂芯
４  半襟
５  切れ目
６  長襦袢
７  襟
【図１】
0003129734.tif 000003
【図２】
0003129734.tif 000004
【手続補正書】
【提出日】平成18年12月12日(2006.12.12)
【手続補正１】
【補正対象書類名】図面
【補正対象項目名】図３
【補正方法】追加
【補正の内容】
【図３】
0003129734.tif 000005
【手続補正２】
【補正対象書類名】図面
【補正対象項目名】図４
【補正方法】追加
【補正の内容】
【図４】
0003129734.tif 000006